【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
レジスト用硬化性樹脂材料（Ａ）、水和金属化合物（Ｂ）及び窒素化合物（Ｃ）を含有し、かつ、レジスト用硬化性樹脂材料（Ａ）が、アクリル系モノマーに由来するエチレン性不飽和末端基を有する感光性プレポリマー（ａ）、前記感光性プレポリマー（ａ）を除くエチレン性不飽和基を有する化合物（ｂ）、及び光重合開始剤（ｃ）を含む光硬化性樹脂材料、または熱硬化樹脂材料であることを特徴とする硬化性難燃組成物。
【請求項２】
感光性プレポリマー（ａ）が、カルボキシル基と少なくとも２個のエチレン性不飽和結合を有する化合物であることを特徴とする請求項１に記載の硬化性難燃組成物。
【請求項３】
感光性プレポリマー（ａ）が、カルボキシル基を有するエポキシ（メタ）アクリレート化合物であることを特徴とする請求項２に記載の硬化性難燃組成物。
【請求項４】
カルボキシル基を有するエポキシ（メタ）アクリレート化合物の固形分酸価が１０ｍｇＫＯＨ／ｇ〜１５０ｍｇＫＯＨ／ｇであることを特徴とする請求項３に記載の硬化性難燃組成物。
【請求項５】
感光性プレポリマー（ａ）が、カルボキシル基を有するウレタン（メタ）アクリレート化合物であることを特徴とする請求項２に記載の硬化性難燃組成物。
【請求項６】
カルボキシル基を有するウレタン（メタ）アクリレート化合物の固形分酸価が５ｍｇＫＯＨ／ｇ〜１５０ｍｇＫＯＨ／ｇであることを特徴とする請求項５に記載の硬化性難燃組成物。
【請求項７】
感光性プレポリマー（ａ）が、カルボキシル基を有するエポキシ（メタ）アクリレート化合物及びカルボキシル基を有するウレタン（メタ）アクリレート化合物を含むことを特徴とする請求項１に記載の硬化性難燃組成物。
【請求項８】
カルボキシル基を有するエポキシ（メタ）アクリレート化合物とカルボキシル基を有するウレタン（メタ）アクリレート化合物の質量比が９：１〜１：９であることを特徴とする請求項７に記載の硬化性難燃組成物。
【請求項９】
カルボキシル基を有するウレタン（メタ）アクリレート化合物が、酸価が５ｍｇＫＯＨ／ｇ〜６０ｍｇＫＯＨ／ｇのカルボキシル基を有するウレタン（メタ）アクリレート化合物と、酸価が６０ｍｇＫＯＨ／ｇ〜１５０ｍｇＫＯＨ／ｇのカルボキシル基を有するウレタン（メタ）アクリレート化合物の混合物であることを特徴とする請求項５ないし８のいずれかに記載の硬化性難燃組成物。
【請求項１０】
熱硬化性樹脂材料が、エポキシ樹脂であることを特徴とする請求項１に記載の硬化性難燃組成物。
【請求項１１】
エポキシ樹脂が、ビスフェノールＡ型エポキシ樹脂、水添ビスフェノールＡ型エポキシ樹脂、臭素化ビスフェノールＡ型エポキシ樹脂、ビスフェノールＦ型エポキシ樹脂、ノボラック型エポキシ樹脂、フェノールノボラック型エポキシ樹脂、クレゾールノボラック型エポキシ樹脂、ビスフェノールＡのノボラック型エポキシ樹脂、キレート型エポキシ樹脂、グリオキザール型エポキシ樹脂、ポリサルファイド型エポキシ樹脂、アミノ基含有エポキシ樹脂、ゴム変性エポキシ樹脂、ジシクロペンタジエンフェノリック型エポキシ樹脂、シリコーン変性エポキシ樹脂、ε−カプロラクトン変性エポキシ樹脂、Ｎ−グリシル型エポキシ樹脂、ビスフェノールＳ型エポキシ樹脂、ジグリシジルフタレート樹脂、ヘテロサイクリックエポキシ樹脂、ビキシレノール型エポキシ樹脂、ビフェノール型エポキシ樹脂及びテトラグルシジルキシレノイルエタン樹脂からなる群より選ばれる少なくとも１種であることを特徴とする請求項１０に記載の硬化性難燃組成物。
【請求項１２】
さらに、熱重合触媒を含有することを特徴とする請求項１０または１１に記載の硬化性難燃組成物。
【請求項１３】
有機溶媒を含むことを特徴とする請求項１〜１２のいずれかに記載の硬化性難燃組成物。
【請求項１４】
水和金属化合物（Ｂ）の熱分解時の吸熱量が４００Ｊ／ｇ以上であることを特徴とする請求項１〜１３のいずれかに記載の硬化性難燃組成物。
【請求項１５】
水和金属化合物（Ｂ）が、水酸化アルミニウム及び／または水酸化マグネシウムである請求項１〜１４のいずれかに記載の硬化性難燃組成物。
【請求項１６】
水和金属化合物（Ｂ）が、ハイドロタルサイトまたはハイドロタルサイト類化合物である請求項１〜１４のいずれかに記載の硬化性難燃組成物。
【請求項１７】
水和金属化合物（Ｂ）を、レジスト用硬化性樹脂材料（Ａ）１００質量部に対し１０〜１００質量部配合することを特徴とする請求項１〜１６のいずれかに記載の硬化性難燃組成物。
【請求項１８】
窒素化合物（Ｃ）が、リン酸アミド、ポリリン酸アンモニウム、リン酸メラミン、ピロリン酸メラミン及びポリリン酸メラミンからなる群より選ばれる少なくとも１種の化合物である請求項１〜１７のいずれかに記載の硬化性難燃組成物。
【請求項１９】
窒素化合物（Ｃ）を、レジスト用硬化性樹脂材料（Ａ）１００質量部に対し１０〜８０質量部配合することを特徴とする請求項１〜１８のいずれかに記載の硬化性難燃組成物。
【請求項２０】
さらに、微粒子状無機化合物（Ｄ）を含有することを特徴とする請求項１〜１９のいずれかに記載の硬化性難燃組成物。
【請求項２１】
微粒子状無機化合物（Ｄ）がゼオライトであることを特徴とする請求項２０に記載の硬化性難燃組成物。
【請求項２２】
微粒子状無機化合物（Ｄ）が粘土鉱物であることを特徴とする請求項２０に記載の硬化性難燃組成物。
【請求項２３】
微粒子状無機化合物（Ｄ）がアルミ架橋粘土であることを特徴とする請求項２０に記載の硬化性難燃組成物。
【請求項２４】
さらに、リン酸エステル化合物（Ｅ）を含有することを特徴とする請求項１〜２３のいずれかに記載の硬化性難燃組成物。
【請求項２５】
リン酸エステル化合物（Ｅ）のリン原子が５価である請求項２４に記載の硬化性難燃組成物。
【請求項２６】
リン酸エステル化合物（Ｅ）が、芳香族基を有する化合物である請求項２４または２５に記載の硬化性難燃組成物。
【請求項２７】
リン酸エステル化合物（Ｅ）を、レジスト用硬化性樹脂材料（Ａ）１００質量部に対し１〜２０質量部配合することを特徴とする請求項２４〜２６のいずれかに記載の硬化性難燃組成物。
【請求項２８】
粘度が５００〜５００，０００ｍＰａ・ｓ（２５℃）であることを特徴とする請求項１〜２７のいずれかに記載の硬化性難燃組成物。
【請求項２９】
請求項１〜２８のいずれかに記載の硬化性難燃組成物を硬化して得られることを特徴とする硬化物。
【請求項３０】
請求項１〜２８のいずれかに記載の硬化性難燃組成物及び着色剤を含有することを特徴とするレジストインク。
【請求項３１】
請求項１〜２８のいずれかに記載の硬化性難燃組成物を用いることを特徴とするレジスト材料。
【請求項３２】
支持体上に請求項１〜２８のいずれかに記載の硬化性難燃組成物から形成された感光層または感熱層を有することを特徴とするドライフィルム。
【請求項３３】
支持体が、ポリエステルフィルムであることを特徴とする請求項３２に記載のドライフィルム。
【請求項３４】
請求項１〜２８のいずれかに記載の硬化性難燃組成物からなることを特徴とする絶縁保護被膜。
【請求項３５】
請求項３４に記載の絶縁保護被膜を有することを特徴とするプリント配線基板。
【請求項３６】
請求項１〜２８のいずれかに記載の硬化性難燃組成物または請求項３０に記載のレジストインクを支持体上に塗布することにより、塗工層を得る工程を含むドライフィルムの製造方法。
【請求項３７】
支持体上に塗布した塗工層を乾燥する工程を含む請求項３６に記載のドライフィルムの製造方法。
【請求項３８】
塗工層の乾燥を、熱風及び／または遠赤外線により行う請求項３７に記載のドライフィルムの製造方法。
【請求項３９】
乾燥した塗工層上に保護フィルムを貼合する工程を含む請求項３６〜３８に記載のドライフィルムの製造方法。
【請求項４０】
乾燥した塗工層上に画像状にエネルギー線を照射する工程、未露光部のレジスト層を現像により除去する工程及び熱硬化する工程を含むことを特徴とするレジストの製造方法。
【請求項４１】
エネルギー線が可視光或は紫外線であり、厚み５〜７０μｍのレジスト層を５０〜２０００ｍＪ／ｃｍ２のエネルギー線の照射量で硬化することを特徴とする請求項４０に記載のレジストの製造方法。
【手続補正２】
【補正対象書類名】明細書
【補正対象項目名】００１３
【補正方法】変更
【補正の内容】
【００１３】
[１]レジスト用硬化性樹脂材料（Ａ）、水和金属化合物（Ｂ）及び窒素化合物（Ｃ）を含有し、かつ、レジスト用硬化性樹脂材料（Ａ）が、アクリル系モノマーに由来するエチレン性不飽和末端基を有する感光性プレポリマー（ａ）、前記感光性プレポリマー（ａ）を除くエチレン性不飽和基を有する化合物（ｂ）、及び光重合開始剤（ｃ）を含む光硬化性樹脂材料、または熱硬化樹脂材料であることを特徴とする硬化性難燃組成物。
【手続補正３】
【補正対象書類名】明細書
【補正対象項目名】００１４
【補正方法】変更
【補正の内容】
【００１４】
[２]感光性プレポリマー（ａ）が、カルボキシル基と少なくとも２個のエチレン性不飽和結合を有する化合物であることを特徴とする上記[１]に記載の硬化性難燃組成物。
[３]感光性プレポリマー（ａ）が、カルボキシル基を有するエポキシ（メタ）アクリレート化合物であることを特徴とする上記[２]に記載の硬化性難燃組成物。
[４]カルボキシル基を有するエポキシ（メタ）アクリレート化合物の固形分酸価が１０ｍｇＫＯＨ／ｇ〜１５０ｍｇＫＯＨ／ｇであることを特徴とする上記[３]に記載の硬化性難燃組成物。
【手続補正４】
【補正対象書類名】明細書
【補正対象項目名】００１５
【補正方法】変更
【補正の内容】
【００１５】
[５]感光性プレポリマー（ａ）が、カルボキシル基を有するウレタン（メタ）アクリレート化合物であることを特徴とする上記[２]に記載の硬化性難燃組成物。
[６]カルボキシル基を有するウレタン（メタ）アクリレート化合物の固形分酸価が５ｍｇＫＯＨ／ｇ〜１５０ｍｇＫＯＨ／ｇであることを特徴とする上記[５]に記載の硬化性難燃組成物。
[７]感光性プレポリマー（ａ）が、カルボキシル基を有するエポキシ（メタ）アクリレート化合物及びカルボキシル基を有するウレタン（メタ）アクリレート化合物を含むことを特徴とする上記[１]に記載の硬化性難燃組成物。
【手続補正５】
【補正対象書類名】明細書
【補正対象項目名】００１６
【補正方法】変更
【補正の内容】
【００１６】
[８]カルボキシル基を有するエポキシ（メタ）アクリレート化合物とカルボキシル基を有するウレタン（メタ）アクリレート化合物の質量比が９：１〜１：９であることを特徴とする上記[７]に記載の硬化性難燃組成物。
[９]カルボキシル基を有するウレタン（メタ）アクリレート化合物が、酸価が５ｍｇＫＯＨ／ｇ〜６０ｍｇＫＯＨ／ｇのカルボキシル基を有するウレタン（メタ）アクリレート化合物と、酸価が６０ｍｇＫＯＨ／ｇ〜１５０ｍｇＫＯＨ／ｇのカルボキシル基を有するウレタン（メタ）アクリレート化合物の混合物であることを特徴とする上記[５[ないし[８]のいずれかに記載の硬化性難燃組成物。
【手続補正６】
【補正対象書類名】明細書
【補正対象項目名】００１７
【補正方法】変更
【補正の内容】
【００１７】
[１０]熱硬化性樹脂材料が、エポキシ樹脂であることを特徴とする上記[１]に記載の硬化性難燃組成物。
[１１]エポキシ樹脂が、ビスフェノールＡ型エポキシ樹脂、水添ビスフェノールＡ型エポキシ樹脂、臭素化ビスフェノールＡ型エポキシ樹脂、ビスフェノールＦ型エポキシ樹脂、ノボラック型エポキシ樹脂、フェノールノボラック型エポキシ樹脂、クレゾールノボラック型エポキシ樹脂、ビスフェノールＡのノボラック型エポキシ樹脂、キレート型エポキシ樹脂、グリオキザール型エポキシ樹脂、ポリサルファイド型エポキシ樹脂、アミノ基含有エポキシ樹脂、ゴム変性エポキシ樹脂、ジシクロペンタジエンフェノリック型エポキシ樹脂、シリコーン変性エポキシ樹脂、ε−カプロラクトン変性エポキシ樹脂、Ｎ−グリシル型エポキシ樹脂、ビスフェノールＳ型エポキシ樹脂、ジグリシジルフタレート樹脂、ヘテロサイクリックエポキシ樹脂、ビキシレノール型エポキシ樹脂、ビフェノール型エポキシ樹脂及びテトラグルシジルキシレノイルエタン樹脂からなる群より選ばれる少なくとも１種であることを特徴とする上記[１０]に記載の硬化性難燃組成物。
【手続補正７】
【補正対象書類名】明細書
【補正対象項目名】００１８
【補正方法】変更
【補正の内容】
【００１８】
[１２]さらに、熱重合触媒を含有することを特徴とする上記[１０]または[１１]に記載の硬化性難燃組成物。
[１３]有機溶媒を含むことを特徴とする上記[１]〜[１２]のいずれかに記載の硬化性難燃組成物。
[１４]水和金属化合物（Ｂ）の熱分解時の吸熱量が４００Ｊ／ｇ以上であることを特徴とする上記[１]〜[１３]のいずれかに記載の硬化性難燃組成物。
[１５]水和金属化合物（Ｂ）が、水酸化アルミニウム及び／または水酸化マグネシウムである上記[１]〜[１４]のいずれかに記載の硬化性難燃組成物。
【手続補正８】
【補正対象書類名】明細書
【補正対象項目名】００１９
【補正方法】変更
【補正の内容】
【００１９】
[１６]水和金属化合物（Ｂ）が、ハイドロタルサイトまたはハイドロタルサイト類化合物である上記[１]〜[１４]のいずれかに記載の硬化性難燃組成物。
[１７]水和金属化合物（Ｂ）を、レジスト用硬化性樹脂材料（Ａ）１００質量部に対し１０〜１００質量部配合することを特徴とする上記[１]〜[１６]のいずれかに記載の硬化性難燃組成物。
[１８]窒素化合物（Ｃ）が、リン酸アミド、ポリリン酸アンモニウム、リン酸メラミン、ピロリン酸メラミン及びポリリン酸メラミンからなる群より選ばれる少なくとも１種の化合物である上記[１]〜[１７]のいずれかに記載の硬化性難燃組成物。
【手続補正９】
【補正対象書類名】明細書
【補正対象項目名】００２０
【補正方法】変更
【補正の内容】
【００２０】
[１９]窒素化合物（Ｃ）を、レジスト用硬化性樹脂材料（Ａ）１００質量部に対し１０〜８０質量部配合することを特徴とする上記[１]〜[１８]のいずれかに記載の硬化性難燃組成物。
[２０]さらに、微粒子状無機化合物（Ｄ）を含有することを特徴とする上記[１]〜[１９]のいずれかに記載の硬化性難燃組成物。
[２１]微粒子状無機化合物（Ｄ）がゼオライトであることを特徴とする上記[２０]に記載の硬化性難燃組成物。
[２２]微粒子状無機化合物（Ｄ）が粘土鉱物であることを特徴とする上記[２０]に記載の硬化性難燃組成物。
【手続補正１０】
【補正対象書類名】明細書
【補正対象項目名】００２１
【補正方法】変更
【補正の内容】
【００２１】
[２３]微粒子状無機化合物（Ｄ）がアルミ架橋粘土であることを特徴とする上記[２０]に記載の硬化性難燃組成物。
[２４]さらに、リン酸エステル化合物（Ｅ）を含有することを特徴とする上記[１]〜[２３]のいずれかに記載の硬化性難燃組成物。
[２５]リン酸エステル化合物（Ｅ）のリン原子が５価である上記[２４]に記載の硬化性難燃組成物。
[２６]リン酸エステル化合物（Ｅ）が、芳香族基を有する化合物である上記[２４]または[２５]に記載の硬化性難燃組成物。
【手続補正１１】
【補正対象書類名】明細書
【補正対象項目名】００２２
【補正方法】変更
【補正の内容】
【００２２】
[２７]リン酸エステル化合物（Ｅ）を、レジスト用硬化性樹脂材料（Ａ）１００質量部に対し１〜２０質量部配合することを特徴とする上記[２４]〜[２６]のいずれかに記載の硬化性難燃組成物。
[２８]粘度が５００〜５００，０００ｍＰａ・ｓ（２５℃）であることを特徴とする上記[１]〜[２７]のいずれかに記載の硬化性難燃組成物。
[２９]上記[１]〜[２８]のいずれかに記載の硬化性難燃組成物を硬化して得られることを特徴とする硬化物。
【手続補正１２】
【補正対象書類名】明細書
【補正対象項目名】００２３
【補正方法】変更
【補正の内容】
【００２３】
[３０]上記[１]〜[２８]のいずれかに記載の硬化性難燃組成物及び着色剤を含有することを特徴とするレジストインク。
[３１]上記[１]〜[２８]のいずれかに記載の硬化性難燃組成物を用いることを特徴とするレジスト材料。
[３２]支持体上に上記[１]〜[２８]のいずれかに記載の硬化性難燃組成物から形成された感光層または感熱層を有することを特徴とするドライフィルム。
[３３]支持体が、ポリエステルフィルムであることを特徴とする上記[３２]に記載のドライフィルム。
【手続補正１３】
【補正対象書類名】明細書
【補正対象項目名】００２４
【補正方法】変更
【補正の内容】
【００２４】
[３４]上記[１]〜[２８]のいずれかに記載の硬化性難燃組成物からなることを特徴とする絶縁保護被膜。
[３５]上記[３４]に記載の絶縁保護被膜を有することを特徴とするプリント配線基板。
[３６]上記[１]〜[２８]のいずれかに記載の硬化性難燃組成物または上記[３０]に記載のレジストインクを支持体上に塗布することにより、塗工層を得る工程を含むドライフィルムの製造方法。
[３７]支持体上に塗布した塗工層を乾燥する工程を含む上記[３６]に記載のドライフィルムの製造方法。
【手続補正１４】
【補正対象書類名】明細書
【補正対象項目名】００２５
【補正方法】変更
【補正の内容】
【００２５】[３８]塗工層の乾燥を、熱風及び／または遠赤外線により行う上記[３７]に記載のドライフィルムの製造方法。
[３９]乾燥した塗工層上に保護フィルムを貼合する工程を含む上記[３６]〜[３８]に記載のドライフィルムの製造方法。
[４０]乾燥した塗工層上に画像状にエネルギー線を照射する工程、未露光部のレジスト層を現像により除去する工程及び熱硬化する工程を含むことを特徴とするレジストの製造方法。
[４１]エネルギー線が可視光或は紫外線であり、厚み５〜７０μｍのレジスト層を５０〜２０００ｍＪ／ｃｍ２のエネルギー線の照射量で硬化することを特徴とする上記[４０]に記載のレジストの製造方法。